(57)【要約】【課題】ゴルフクラブのヘッドとシャフトを分解する際に、シャフトにキズ、変形を起こす挟時力が働かない分解用器具を提供すること。【解決手段】シャフトの長さに応じて全長を変える長さ調整部を有する本体と、該本体の一方にヘッドのホーゼルと接するブッシュと、他方にグリップと接するリテーナを有し、該リテーナと前記ブッシュとの相方に本体を介して作用力を与える押圧手段を備え、前期グリップの反力が、ヘッドのホーゼルとシャフトを分離する作用力として働く。シャフトには、従来の挟持力（切断面円環状のシャフトに上下方向から力が作用するためにシャフトは曲げ応力が発生する）に変わり、シャフトの長手方向両端を引張るより強力な引張り応力が作用することになり、シャフトは、キズ・割れ等が全く発生することなく、熟練した作業者でなくても安心して作業することができる。【選択図】　　　　図１
2004024753.tif 000002
【特許請求の範囲】
【請求項１】
シャフトの長さに応じて全長を変える長さ調整部を有する本体と、該本体の一方にヘッドのホーゼルと接するブッシュと、他方にグリップと接するリテーナを有し、該リテーナと前記ブッシュとの相方に本体を介して作用力を与える押圧手段を備え、前期グリップの反力が、ヘッドのホーゼルとシャフトを分離する作用力として働くことを特徴とするゴルフクラブのヘッド分解用器具。
【請求項２】
前記押圧手段が温度により形状を変える形状記憶合金を材料に形成されていることを特徴とする請求項１記載のゴルフクラブのヘッド分解用器具。
【請求項３】
前記押圧手段が温度により形状を変えるバイメタルに形成されていることを特徴とする請求項１記載のゴルフクラブのヘッド分解用器具。
【発明の詳細な説明】
【０００１】
【産業上の利用分野】
本発明は、ゴルフクラブのヘッドとシャフトを分解する際に使用するヘッド分解用器具に関するものである。
【０００２】
【従来の技術】
ゴルフクラブのヘッドとシャフトの接合部はエポキシ樹脂等の接着剤で接合されており、シャフトをヘッドから分解するには、この接合部を加熱して接着剤を軟化させて行なわれていた。分解は図３に示すような器具５０を用い、シャフト部分を保持して行われるものであった。この器具５０は、シャフトを上下方向において挟持して固定し、ヘッドのホーゼルにコイルバネ５１で付勢された当て金５２を接し、接合部をヒートガン５３で加熱し接着剤の軟化と共に分解する工具である。
【０００３】
【発明が解決しようとする課題】
しかしながらこの器具は、シャフトを直接挟持して固定する為に、挟持した部分にキズなどが付き易く、また挟持力が強すぎるとシャフトが変形し断面が楕円形になりかねない。また、最近はスチールのシャフトに変わり、カーボンファイバー製のシャフトが使用されており、挟持力が大きいと挟持した部分に割れが入ったり、折れたりすることから、作業者は、挟持力の加減に神経を使うことになっていた。
本発明は、シャフトにキズ、変形を起こす挟時力が働かない分解用器具を提供することを目的とする。
【０００４】
【課題を解決するための手段】
本発明は、シャフトの長さに応じて全長を変える長さ調整部を有する本体と、該本体の一方にヘッドのホーゼルと接するブッシュと、他方にグリップと接するリテーナを有し、該リテーナと前記ブッシュとの相方に本体を介して作用力を与える押圧手段を備え、前期グリップの反力が、ヘッドのホーゼルとシャフトを分離する作用力として働くゴルフクラブのヘッド分解用器具である。
即ち、シャフトには、従来の挟持力（切断面円環状のシャフトに上下方向から力が作用するためにシャフトは曲げ応力が発生する）に変わり、シャフトの長手方向両端を引張るより強力な引張り応力が作用することになる。
従って、シャフトは、キズ・割れ等が全く発生することなく、熟練した作業者でなくても安心して作業することができる。
【０００５】
【発明の実施の形態】
図面を用いて実施の形態を説明する。
【第１実施例】
図１は実施例１の使用状態を示す断面図である。
ゴルフクラブ１の長さに対応してその全長を変える長さ調整部９を有し、薄肉の鋼管よりなる本体６は、ゴルフクラブ１のグリップ５を貫挿できる大きさの内径７を備えており、その一端（図中左方）にヘッド３のホーゼル４と接するブッシュ８を接着している。
一方、他端には、グリップ５に接するリテーナ１０を装着している。長さ調整部９は、本体６を２分し、テレスコピック状に形成され、重複する部分の長さを変えることによって、シャフト２の長さに合わせて本体６の全長を変える構成になされている。
【０００６】
ホーゼル４に接するブッシュ８は、シャフト２の外径にはめ込まれると共にホーゼル４との段差部に接するために２つ割になされて、シャフトを挟んで両側から組まれている。これは、シャフト２の外径よりもヘッド３およびグリップ５の外径が大きくシャフト２の外径にブッシュ８の内径にフィットさせることができない為である。これによってブッシュ８は、シャフト２とはわずかなスキマを持って移動でき、ブッシュ８の外径は、本体６の内径７とわずかなスキマではめ込まれる。この際本体６の端面に装着できるようツバ１１が設けられている。
一方リテーナ１０は、本体６の他端においてブッシュ８と同様に内径１２にはめ込まれ、２つ割になされツバ１３を備えている。しかし、リテーナ１０の内径はブッシュ８の内径とは異なり、グリップ５のわずかなテーパ部１４に係合し、その移動が止められる寸法になされている。
【０００７】
ホーゼル４とシャフト２を分離する方向に作用力を与える押圧手段１５は、長さ調整部９のテレスコピック状になされた段部にコイルバネ１６として形成され、一方が本体６の端面１７に他方がコイルバネ１６を押圧しその作用力の調整をする調整手段１８によって規制されている。
調整手段１８は、本体６に形成された雄ネジ１９とそれに係合する雌ネジ２０を備えるナット２４から形成され、ネジの係合位置を変えることによって前記作用力を調整している。
【０００８】
次に使用手順について説明する。
まず、テレスコピック状になった２つの本体の内径に、ゴルフクラブ１をグリップ５側から挿入し、貫通させる。ヘッド３側に２つ割にされたブッシュ８がシャフト２を両側から挟んで組込まれ、本体６の内径１２にはめ込まれと共にそのツバ１１を端面に当てて装着される。
次に本体６の反対側にグリップ５に接するリテーナ１０を装着する。これはブッシュ８と同様に本体６の内径１２にはめ込むと共にグリップ５のテーパ部１４に係合させる。
さらに、本体６のテレスコピック状の段部にコイルバネ１６（押圧手段１５）を挿入し、調整手段１８を回し、コイルバネ１６の作用力が本体６を介してグリップ５とホーゼル４に作用する。このときの作用力は、ホーゼル４とシャフト２を接合する接着剤の強さにもよるが本例では２００ｋｇｆに調整した。通常、作用力の大きさは１００ｋｇｆから５００ｋｇｆが適している。
これでゴルフクラブ１の取付けが終り、ヒートガン２１で接合部を加熱する。この際ホーゼル４の外周をムラなく加熱することが大切である。そうすることによって接着剤が軟化し、シャフト２からヘッド３を分解することができる。
尚、本実施例では、コイルバネ１６と本体６の端面１７の間にスラストベアリング２３を入れて、調整手段１８のネジの回転を助けている。
【０００９】
【第２実施例】
本実施例は、図２に示す如く、押圧手段１５として形状記憶合金製のスプリング２２を使用する例である。
スプリング２２は、ブッシュ８と本体６との間に配設されており、出来るだけホーゼル４と外径をそろえる為に２つ割にされ、小径に成されている。これは後述するヒートガンによる過熱の利便性の為である。しかし、スプリング２２の他端は本体６に当接させるために大径にされ、その形状は組込み時円柱状に成されている。これは本体６にゴルフクラブ１を組込むとき、グリップ５を本体６に貫挿させることから本体６の内径をグリップ５の外形よりも大きくする必要があるためである。また、長さ調整部９は、第１実施例のように分解時本体６の全長を長くするために移動する必要がないことから、テレスコピック状に成された雄ネジと雌ネジに形成され、そのネジの噛合い長さを変えることによって、ゴルフクラブ１の装着時に全長の調整をするものである。
スプリング２２の装着は、常温時において押圧しその全長を短くしておき、シャフト２を挟んでその両側からブッシュ８と本体６との間に組込むことになる。
【００１０】
スプリング２２は、形状記憶合金であり、加熱することによってその自由長を長くできるために、ある一定時間の過熱と同時に伸長する。したがって、接着剤が使用されているホーゼル４の近くにスプリング２２を設置することによって、ホーゼル４を加熱するヒートガン２１の熱を利用できる。しかも、接着剤の軟化温度に合わせて、スプリングを伸長させれば、シャフト２には、瞬間的に力が作用するだけで、常時力が作用することがなく、変形、歪みなどの不具合が発生しない。
【００１１】
尚、形状記憶合金の替わりにバイメタルを使用することも可能である。この場合は、常温において本体側に変形させ、ヒートガンの過熱によってホーゼル側に変形させればよい。そうすることによって、形状記憶合金を使用する場合に比べて、常温時の押圧による短縮する作業を排除することができる。
【発明の効果】
請求項１によると、シャフトを傷つけることなく、素人でも簡単にヘッドを分解することができる。
請求項２および３によると、ゴルフクラブを器具に取り付ける際、押圧力が作用しない為に、ゴルフクラブ装着が極めて簡単であると共に、一定温度に達するまで押圧力（作用力）が掛からないために、シャフトの変形、歪などが生じない。
【図面の簡単な説明】
【図１】第１実施例の使用状態を示す断面図。
【図２】第２実施例の使用状態を示す断面図
【図３】従来の使用状態を示す断面図。
【符号の説明】
１　ゴルフクラブ
２　シャフト
３　ヘッド
４　ホーゼル
５　グリップ
６　本体
８　ブッシュ
９　長さ調整部
１０　リテーナ
１５　押圧手段
１６　コイルバネ（押圧手段）
１８　調整手段
２２　スプリング（押圧手段）
【図１】
2004024753.tif 000003
【図２】
2004024753.tif 000004
【図３】
2004024753.tif 000005